(57)【要約】【課題】メイン情報用の記録領域を削減することなく、音楽や映像等の各種コンテンツからなるメイン情報とともにメイン情報に関連する付加情報を記録及び／又は再生し、上記付加情報に応じて上記メイン情報に適応的な処理を施すことができるようにする。【解決手段】情報記録媒体自体の物理的な歪み量としてメイン情報に関連する付加情報が記録されている情報記録媒体１０の記録面に記録されているメイン情報を光学的に読み取る光学ピックアップ２１の検出出力から情報読み取り部２２によりメイン情報を抽出し、ピックアップ制御部２３により、上記情報記録媒体１０の歪みに応じて上記光学ピックアップ２１のを制御を行った制御信号による制御量として、上記情報記録媒体１０自体の物理的な歪み量として記録されている付加情報を検出し、信号処理部２４により、上記メイン情報に対して付加情報に応じて適応的な処理を施す。【選択図】　　　　図１
2004013966.tif 000002
【特許請求の範囲】
【請求項１】
メイン情報と上記メイン情報に関連する付加情報が記録された情報記録媒体であって、
当該情報記録媒体自体を物理的な歪み量として上記付加情報が記録されていることを特徴とする情報記録媒体。
【請求項２】
上記付加情報は、上記メイン情報の再生動作を適応的に変化させるトリガ情報であることを特徴とする請求項１記載の情報記録媒体。
【請求項３】
上記付加情報は、上記メイン情報のスケーラビリティを実現する信号処理を行うためのトリガ情報であることを特徴とする請求項２記載の情報記録媒体。
【請求項４】
メイン情報のみを記録した情報記録媒体を提供する情報記録媒体提供ステップと、
上記情報記録媒体提供ステップにより情報記録媒体を取得したユーザからの要求に応じて上記メイン情報に情報関連する付加情報を上記情報記録媒体自体の物理的な歪み量として記録する付加情報記録ステップとを有する
ことを特徴とする情報提供方法。
【請求項５】
情報記録媒体自体の物理的な歪み量としてメイン情報に関連する付加情報が記録されている情報記録媒体からメイン情報と付加情報を再生する情報再生方法であって、
上記情報記録媒体から読み取られる再生信号からメイン情報を検出するメイン情報検出ステップと、
上記情報記録媒体自体の物理的な歪み量として記録されている上記メイン情報に関連する付加情報を検出する付加情報検出ステップと、
上記メイン情報検出ステップで検出されたメイン情報に対して、上記付加情報検出ステップで検出された付加情報に応じて適応的な処理を施す適応処理ステップとを有し、
上記付加情報に応じた適応的な処理を施したメイン情報を出力することを特徴とする情報再生方法。
【請求項６】
上記適応処理ステップにおいて、上記付加情報に基づいて、上記メイン情報のスケーラビリティを実現する信号処理を行うことを特徴とする請求項５記載の情報再生方法。
【請求項７】
情報記録媒体自体の物理的な歪み量としてメイン情報に関連する付加情報が記録されている情報記録媒体からメイン情報と付加情報を再生する情報再生装置であって、
上記情報記録媒体から読み取られる再生信号からメイン情報を検出するメイン情報検出手段と、
上記情報記録媒体自体の物理的な歪み量として記録されている上記メイン情報に関連する付加情報を検出する付加情報検出手段と、
上記メイン情報検出手段により検出されたメイン情報に対して、上記付加情報検出手段により検出された付加情報に応じて適応的な処理を施す適応処理手段とを備え、
上記付加情報に応じた適応的な処理を施したメイン情報を出力することを特徴とする情報再生装置。
【請求項８】
上記適応処理手段において、上記付加情報に基づいて、上記メイン情報のスケーラビリティを実現する信号処理を行うことを特徴とする請求項７記載の情報再生装置。
【発明の詳細な説明】
【０００１】
【発明の属する技術分野】
本発明は、音楽や映像等の各種コンテンツからなるメイン情報と上記メイン情報に関連する付加情報が記録された情報記録媒体、その情報提供方法、情報再生方法並びに情報再生装置に関する。
【０００２】
【従来の技術】
音楽や映像等の各種コンテンツの電子化情報は、近年、機器の多機能化や高性能化或いは高容量処理化等の開発促進、画像圧縮技術等の処理技術の向上、インターネット等による利用環境の整備或いは処理速度や通信速度の向上等によって利用促進が図られている。電子化情報は、例えば機器内に備えられたハードディスクや半導体メモリ等の固定記憶手段或いは機器に挿脱操作されて持ち運び自在な光ディスクや光磁気ディスク、磁気ディスク等の可搬型記録媒体（以下、情報記録媒体と総称する。）に記録され、情報再生装置や情報記録再生装置（以下、情報記録再生装置と総称する。）よって再生されるとともに適宜の記録手段に記録される。
【０００３】
情報記録媒体は、一般に記録領域がメイン情報を記録するメイン情報記録領域と制御信号等を記録する所定の制御信号記録領域とにフォーマット化され、メイン情報記録領域に対してメイン情報を記録する際にその記録位置や時間或いは記録方法等の制御情報が制御信号記録領域に記録される。従来の情報記録媒体は、ユーザが情報記録再生装置によってメイン情報を再生する際に、制御信号記録領域から制御信号が読み出されて個々のメイン情報が一義的に制御されて再生が行われる。したがって、従来の情報記録媒体においては、上述した条件に基づいて固定した情報としてメイン情報が記録されていた。
【０００４】
ところで、各種の電子化情報には、例えば音楽情報や映像情報或いはゲームソフト情報等のように、所定のプロバイダに対してユーザが有線や無線等の通信手段を介して配信要求アクセスを行うことにより有償で提供される配信サービスも行われている。かかる情報配信システムは、所定の手続きを経ることによりプロバイダ側からユーザに対して、接続されたパーソナルコンピュータや携帯情報端末機（ＰＤＡ：Ｐｅｒｓｏｎａｌ　Ｄｉｇｉｔａｌ　Ａｓｓｉｓｔａｎｔ）或いは携帯電話機等の端末機器に対して要求のあったコンテンツ情報が供給され、適宜の情報記録媒体に記録される。情報記録媒体は、配信されたコンテンツについて所定の形式により固定情報として記録する。
【０００５】
一方、音楽情報や映像情報等のコンテンツは、例えばＣＤ−Ｒ（Ｃｏｍｐａｃｔ　Ｄｉｓｃ−Ｒｅｃｏｒｄａｂｌｅ）に記録されてユーザに提供されている。ＣＤ−Ｒは、例えばある歌手のアルバムＣＤ−Ｒであって収録されていない新譜等について、上述した情報配信システムを利用して入手しこれを追加して記録するといった使用形態も可能である。ＣＤ−Ｒは、固定情報として音楽情報や映像情報等を記録するが、アドレス情報等に基づいて情報記録再生装置側での設定操作により、再生順序を変えて任意に再生することが可能とされる。勿論、ＣＤ−Ｒは、制御信号記録領域に記録される制御信号について規定化されており、例えば再生順序を自動的に選択するような任意の制御信号等を記録することはできない。
【０００６】
【発明が解決しようとする課題】
ところで、上述の如き光ディスク、磁気ディスク、光磁気ディスクなどの情報記録媒体を介して情報の記録／再生を行う情報記録／再生システムでは、情報記録媒体上の記録位置などを管理するための管理情報のための記録領域やメイン情報のための記録領域を個別に確保した所定の記録フォーマットが採用されており、さらに、メイン情報に関連する付加情報、例えばメイン情報の識別情報、リンク情報や履歴情報などを記録する場合、一般的に、上記メイン情報用の記録領域と付加情報用の記録領域を個別の記録領域として予め確保しておいたり、あるいは、付加情報を記録する毎に新たに付加情報用の記録領域を確保するようにしていたので、音楽や映像等の各種コンテンツからなるメイン情報を記録する情報記録媒体に上記メイン情報に関連する付加情報を記録する場合に、メイン情報用の記録領域と付加情報用の記録領域とを個別に確保する必要があり、上記メイン情報用の記録領域が少なくなるという問題点があった。
【０００７】
また、従来の情報記録／再生システムでは、複数の情報を統合して記録することを行っていなかったため、定義した情報に応じて情報記録再生装置の動作を適応的に変化させることはできなかった。例えば、音楽を記録再生する情報記録媒体として実用化されている音楽用ＣＤ−Ｒについて考えてみると、情報記録媒体は共通仕様であり、また、メイン情報すなわち書き込まれた音楽データに関する付加情報例えば識別情報は乏しい。そのため、情報記録媒体毎や音楽毎に記録再生方法を適応的に変化させることは困難であった。
【０００８】
そこで、本発明の目的は、上述の如き従来の問題点に鑑み、メイン情報用の記録領域を削減することなく、音楽や映像等の各種コンテンツからなるメイン情報とともにメイン情報に関連する付加情報の再生可能な情報記録媒体、その情報提供方法、情報再生方法及び情報再生装置を提供することにある。
【０００９】
また、本発明の目的は、上記情報記録媒体を使用してメイン情報に関連する付加情報に応じて上記メイン情報に適応的な処理を施すことのできる情報再生方法、及び情報再生装置を提供することにある。
【００１０】
【課題を解決するための手段】
本発明は、メイン情報と上記メイン情報に関連する付加情報が記録された情報記録媒体であって、当該情報記録媒体自体を物理的に歪ませることよって上記付加情報が記録されていることを特徴とする。
【００１１】
また、本発明に係る情報提供方法は、メイン情報のみを記録した情報記録媒体を提供する情報記録媒体提供ステップと、上記情報記録媒体提供ステップにより情報記録媒体を取得したユーザからの要求に応じて上記メイン情報に情報関連する付加情報を上記情報記録媒体自体の物理的な歪み量として記録する付加情報記録ステップとを有することを特徴とする。
【００１２】
また、本発明は、情報記録媒体自体の物理的な歪み量としてメイン情報に関連する付加情報が記録されている情報記録媒体からメイン情報と付加情報を再生する情報再生方法であって、上記情報記録媒体から読み取られる再生信号からメイン情報を検出するメイン情報検出ステップと、上記情報記録媒体自体の物理的な歪み量として記録されている上記メイン情報に関連する付加情報を検出する付加情報検出ステップと、上記メイン情報検出ステップで検出されたメイン情報に対して、上記付加情報検出ステップで検出された付加情報に応じて適応的な処理を施す適応処理ステップとを有し、上記付加情報に応じた適応的な処理を施したメイン情報を出力することを特徴とする。
【００１３】
さらに、本発明は、情報記録媒体自体の物理的な歪み量としてメイン情報に関連する付加情報が記録されている情報記録媒体からメイン情報と付加情報を再生する情報再生装置であって、上記情報記録媒体から読み取られる再生信号からメイン情報を検出するメイン情報検出手段と、上記情報記録媒体自体の物理的な歪み量として記録されている上記メイン情報に関連する付加情報を検出する付加情報検出手段と、上記メイン情報検出手段により検出されたメイン情報に対して、上記付加情報検出手段により検出された付加情報に応じて適応的な処理を施す適応処理手段とを備え、上記付加情報に応じた適応的な処理を施したメイン情報を出力することを特徴とする。
【００１４】
【発明の実施の形態】
以下、本発明の実施の形態について、図面を参照して詳細に説明する。
【００１５】
本発明では、例えば図１に示すような構造の情報記録媒体１０が用いられる。この情報記録媒体１０は、図１の（Ａ）に示すように、従来のＣＤやＤＶＤなど各種メディアと同様に記録面１０Ａにメイン情報が光学的に読み取り可能に記録されているとともに、当該情報記録媒体自体を物理的に歪ませる加工が施されることにより、例えば図１の（Ｂ）に示すような断面の凹凸状態等の物理的な歪み量として上記メイン情報に関連する付加情報が記録されている。
【００１６】
ここで、上記メイン情報に関連する付加情報として、上記メイン情報の再生動作を適応的に変化させるためのトリガ情報として用いられるコーデック特徴量、識別情報、履歴情報、リンク情報や暗号鍵などが記録される。
【００１７】
上記情報記録媒体１０は、図２に示すような構成の情報再生装置２０によりメイン情報とその付加情報が再生される。
【００１８】
図２に示す情報再生装置２０は、上記情報記録媒体１０の記録面を光学的に走査して、上記記録面に記録されているメイン情報を光学的に読み取るための光学ピックアップ２１、上記光学ピックアップ２１の検出出力からメイン情報を抽出する情報読み取り部２２、上記光学ピックアップ２１に対してフォーカス制御、トラッキング制御やスキュー制御等の各種制御を行うピックアップ制御部２３、上記情報読み取り部２２により抽出されたメイン情報が供給される信号処理部２４などからなる。
【００１９】
この情報再生装置２０において、ピックアップ制御部２３は、上記光学ピックアップ２１により上記情報記録媒体１０の記録面を安定に操作するために、記録面の反りなどの歪みに対応するための補正制御を行っている。したがって、上記情報記録媒体１０に物理的な歪み量として記録されている付加情報は、上記ピックアップ制御部２３により、歪みに応じて上記光学ピックアップ２１の制御を行った制御信号による制御量として検出されて、上記信号処理部２４に供給される。
【００２０】
上記信号処理部２４では、上記情報読み取り部２２により抽出されたメイン情報に対して、上記付加情報に基づいて、適応的に信号処理を施す。
【００２１】
この情報再生装置２０において、メイン情報の再生処理は、図３のフローチャートに示す手順に従って行われる。
【００２２】
すなわち、この情報再生装置２０において、信号処理部２４は、メイン情報を再生する場合、先ず付加情報の読み出し開始を指示する（ステップＳ１）。
【００２３】
次に、信号処理部２４は、メイン情報の読み出し開始を指示して（ステップＳ２）、上記光学ピックアップ２１により上記情報記録媒体１０の記録面からメイン情報を読み出し（ステップＳ３）、メイン情報の読み出し終了であるかを判定して（ステップＳ４）、読み出し終了でなければ上記ステップＳ３に戻って、ステップＳ３及びステップＳ４の処理を読み出し終了になるまで繰り返し行い、読み出し終了であれば信号処理を行う（ステップＳ５）。
【００２４】
そして、信号処理部２４は、信号処理済みのメイン情報を出力する（ステップＳ６）。
【００２５】
さらに、信号処理部２４は、情報終了であるか否かを判定し（ステップＳ７）、情報終了でなければ上記ステップＳ１に戻って、ステップＳ１〜ステップＳ７の処理を情報終了になるまで繰り返し行い、情報終了になったら、メイン情報の再生処理を終了する。
【００２６】
また、この情報再生装置２０において、付加情報の再生処理は、図４のフローチャートに示す手順に従って行われる。
【００２７】
すなわち、ピックアップ制御部２３は、上記信号処理部２４により付加情報の読み出し開始が指示されたか否かを判定し（ステップＳ１１）、付加情報の読み出し開始を指示されると、上記光学ピックアップ２１の制御して上記光学ピックアップ２１により上記情報記録媒体１０の記録面を走査し、付加情報の読み出しを開始して（ステップＳ１２）、歪みに応じた上記光学ピックアップ２１の制御を行った制御信号による制御量として検出される付加情報情報を読み出し（ステップＳ１３）、付加情報情報の読み出し終了であるかを判定して（ステップＳ１４）、読み出し終了でなければ上記ステップＳ１３に戻って、ステップＳ３及びステップＳ４の処理を読み出し終了になるまで繰り返し行い、読み出し終了であれば信号処理部２４へ付加情報を送信する（ステップＳ１５）。
【００２８】
そして、ピックアップ制御部２３は、情報終了であるか否かを判定し（ステップＳ１６）、情報終了でなければ上記ステップＳ１１に戻って、ステップＳ１１〜ステップＳ１６の処理を情報終了になるまで繰り返し行い、情報終了になったら、付加情報の再生処理を終了する。
【００２９】
ここで、上記信号処理部２４における、上記付加情報に基づく適応的な信号処理により、例えば、映画ソースの２３プルダウンを補正する処理や、ノイズ除去、空間解像度創造、時間解像度創造などの処理をコンテンツ毎に付加することができ、スケーラビリティを実現できる。従来はすべてのコンテンツに対して同様の処理が行われていたのに対し、このように個々のコンテンツ毎の信号処理を行うことができる。
【００３０】
この情報再生装置２０における信号処理部２４では、例えば図５に示すように、タップセレクタ３１、クラス分類部３２、係数メモリ３３、予測部３４からなる適応処理装置３０により、上記付加情報に基づくメイン情報の適応的な再生処理を行う。
【００３１】
すなわち、この適応処理装置３０では、上記光学ピックアップ２１の検出出力から情報読み取り部２２により抽出されたメイン情報すなわちコンテンツ情報に対して、上記ピックアップ制御部２３により得られる付加情報により、タップセレクタ３１にはクラスタップ／予測タップの選択情報が与えられ、クラス分類部３２にはクラス分類方法又はクラス番号が与えられ、予測係数メモリ３３には係数情報が与えられ、さらに、予測部３４には予測方法が与えられて、上記付加情報に基づくメイン情報の適応的な再生処理を行う。
【００３２】
上記付加情報としては、クラスタップ選択情報、予測タップの選択情報、クラス分類方法、クラス番号、係数情報又は予測方法のいずれか、あるいはそれぞれ組合せが使用される。
【００３３】
ここで、付加情報により次のようなタイミングで各種情報を与える。
【００３４】
係数情報は、メディアを再生する前に、予測係数メモリ３３に転送される。
【００３５】
クラスタップ／予測タップ構造は、メディアを再生する前にタップセレクタ３１に入力され、あるいは、メディアの再生中にサンプル又はブロック毎にタップセレクタ３１に入力される。
【００３６】
クラス分類方法は、メディアを再生する前にクラス分類部３２に指定され、あるいは、メディアの再生中にサンプル又はブロック毎にクラス分類部３２に指定される。
【００３７】
クラス番号は、メディアの再生中にサンプル又はブロック毎にクラス分類部３２に入力される。
【００３８】
さらに、予測方法は、メディアを再生する前に予測部３４に指定され、あるいは、メディアの再生中に、サンプル又はブロック毎に予測部３４に指定される。
【００３９】
この情報再生装置２０では、このように情報記録媒体１０に記録されている付加情報に基づいて、メイン情報に適応的な処理を施すことができるので、コンテンツの内容が同じで、メディアの歪みすなわち付加情報が異なる複数種類のメディアに対応することができる。
【００４０】
コンテンツの内容が同じで、メディアの歪みすなわち付加情報が異なるメディア、例えば、映像コンテンツが記録されているメディアとして、
・映画のような画像が得られるメディア
・空間解像度が増すメディア
・時間解像度が増すメディア
などを店頭で販売することによって、ユーザは自分の嗜好にあわせてメディアを選択することができる。
【００４１】
さらに、課金システムを準備することにより、ユーザが自分の嗜好に合わせてメディアを歪ませ、嗜好に合った形でメディアの再生を行い、メディアに歪みを与えるときに課金することができる。また、付加情報として、ＤＲＣなどのような信号の品質を向上させる信号を想定し、ユーザが自分の持つ情報が付加されていないメディアを、より高付加価値のメディアに変更する際に課金することができる。
【００４２】
また、　ユーザの嗜好に合わせた情報を付加することも可能となる。次に、ユーザの嗜好に合わせた情報を付加するモデルについて説明する。
【００４３】
１．ユーザは、付加情報が記録されていないメディアを購入する。
【００４４】
２．ユーザは、購入後、自分の嗜好に合わせて付加情報を記録する。
【００４５】
３．付加情報の記録は、代理店などを通さなければ実行できない。
【００４６】
４．付加情報の記録時に、付加情報追記料として、ユーザに課金する。
【００４７】
ここで、ユーザからの要求により品質向上情報を付加する場合の具体的なモデルについて、図６のシステム図を参照して説明する。
【００４８】
この場合、ユーザは、先ず、付加情報が記録されていない所望のコンテンツ情報すなわちメイン情報のみが記録されたメディアを販売店又はメーカから購入し（手順１）、メディア購入代金を販売店又はメーカに支払う（手順２）。
【００４９】
次に、ユーザは、上記メディアの購入後、上記メイン情報に情報関連する付加情報を販売店又はメーカに要求する（手順３）。
【００５０】
そして、販売店又はメーカは、ユーザからの要求に応じて、付加情報として品質向上情報を生成し、ユーザから預かったメディアに付加情報を記録することにより、ユーザが付加情報を利用できるようにする（手順４）。
【００５１】
ユーザは、付加情報追記代金を販売店又はメーカに支払う（手順５）。
なお、上記販売店又はメーカでは、例えば図７に示すように、メディア再生・加工部４１、メディア認識部４２、教師信号データベース部４３、学習部４４及び加工情報生成部４５からなる加工装置４０により、情報記録媒体自体を物理的に歪ませる加工処理を実行して、物理的な歪み量として上記メイン情報に情報関連する付加情報を記録する。
【００５２】
この加工装置４０では、図８のフローチャートに示すように、ユーザから預かったメディアをメディア再生・加工部４１を再生し、その再生情報に基づいてメディア認識部４２により上記メディアが何であるかを認識する（ステップＳ２１）。次に、上記メディア認識部４２による上記メディアの認識結果に基づいて教師信号データベース部４３から教師信号を得て（ステップＳ２２）、上記メディア再生・加工部４１により再生された上記メディアの再生信号を生徒信号として学習部３４による学習処理を開始し（ステップＳ２３）、各種パラメータが最適になるように係数やパラメータを変化させて付加情報の学習を行う（ステップＳ２４，Ｓ２５）。さらに、上記学習部４４による学習の結果として得られる付加情報すなわち係数やパラメータを加工情報生成部４５により加工情報に変換する（ステップＳ２６）。そして、上記加工情報生成部４５により得られた加工情報に応じて、上記メディア再生・加工部４１により情報記録媒体自体を物理的に歪ませる加工処理を実行して、物理的な歪み量として上記メイン情報に情報関連する付加情報を記録する（ステップＳ２７）。
【００５３】
【発明の効果】
以上説明したように、本発明によれば、メイン情報用の記録領域を削減することなく、音楽や映像等の各種コンテンツからなるメイン情報とともにメイン情報に関連する付加情報を再生可能な情報記録媒体及び情報提供方法、上記情報記録媒体を介してメイン情報及び付加情報の再生を行う情報再生方法及び情報再生装置を提供することができる。
【００５４】
また、本発明によれば、上記情報記録媒体を使用してメイン情報に関連する付加情報に応じて上記メイン情報に適応的な処理を施す情報再生方法及び情報再生装置を提供することができる。
【図面の簡単な説明】
【図１】本発明に係る情報記録媒体の構造例を模式的に示す図である。
【図２】本発明に係る情報再生装置の要部構成を示すブロック図である。
【図３】上記情報再生装置におけるメイン情報の再生処理の手順を示すフローチャートである。
【図４】上記情報再生装置における付加情報の再生処理の手順を示すフローチャートである。
【図５】上記情報再生装置における信号処理部の要部構成例を示すブロック図である。
【図６】ユーザからの要求により品質向上情報を付加する場合の具体的なモデルを示す図である。
【図７】販売店又はメーカに備えられる加工装置の構成例を示すブロック図である。
【図８】上記加工装置による加工処理の手順を示すフローチャートである。
【符号の説明】
１０　情報記録媒体、２０　情報再生装置、２１　光学ピックアップ、２２　情報読み取り部、２３　ピックアップ制御部、２４　信号処理部、３０　適応処理装置、３１　タップセレクタ、３２　クラス分類部、３３　係数メモリ、３４予測部、４０　加工装置、４１　メディア再生・加工部、４２　メディア認識部、４３　教師信号データベース部、４４　学習部、４５　加工情報生成部
【図１】
2004013966.tif 000003
【図２】
2004013966.tif 000004
【図３】
2004013966.tif 000005
【図４】
2004013966.tif 000006
【図５】
2004013966.tif 000007
【図６】
2004013966.tif 000008
【図７】
2004013966.tif 000009
【図８】
2004013966.tif 000010